(57)【要約】【課題】防水性を保ちつつ安全性にもすぐれた照明装置を提供することを目的とする。  【解決手段】第１の面に発光ダイオードを実装し前記第１の面と異なる側に位置する第２の面に前記発光ダイオードを点灯させる点灯回路及びこの点灯回路へ電力を供給する電源接続部を実装した回路基板と、この回路基板の第１の面に前記発光ダイオードを覆うように形成された透光性樹脂層と、前記回路基板の第２の面に前記点灯回路を覆うとともに、前記電源接続部に接続される導電体を収容する絶縁性樹脂層とを備えた発光装置と；前記電源接続部に接続される導電体と；前記導電体に接続される第１接続部と、この第１接続部に電力を供給する電源と接続される第２接続部と、これら接続部を離間して配置し、かつ難燃性樹脂で形成された筐体とを備えた電源中継装置と;を具備することによって防水性を保ちつつ安全性にもすぐれた照明装置を提供することができる。【選択図】図１
2008077902.tif 000002
【特許請求の範囲】
【請求項１】
第１の面に発光ダイオードを実装し前記第１の面と異なる側に位置する第２の面に前記発光ダイオードを点灯させる点灯回路及びこの点灯回路へ電力を供給する電源接続部を実装した回路基板と、この回路基板の第１の面に前記発光ダイオードを覆うように形成された透光性樹脂層と、前記回路基板の第２の面に前記点灯回路を覆うとともに、前記電源接続部に接続される導電体を収容する絶縁性樹脂層とを備えた発光装置と；
前記電源接続部に接続される導電体と；
前記導電体に接続される第１接続部と、この第１接続部に電力を供給する電源と接続される第２接続部と、これら接続部を離間して配置し、かつ難燃性樹脂で形成された筐体とを備えた電源中継装置と;
を具備したことを特徴とする照明装置。
【請求項２】
前記電源中継装置が、他の回路基板にも電力を供給するための第３接続部をさらに備えたことを特徴とする請求項１記載の照明装置。
【請求項３】
前記発光装置の絶縁性樹脂層が、難燃性樹脂で形成されていることを特徴とする請求項１又は２記載の照明装置。
【請求項４】
前記発光装置と前記電源中継部との間に配置される導電体挿通孔を有するシャーシを更に具備し、このシャーシの第１の面に前記導電体挿通孔をふさぐように電源中継装置が配設され、前記シャーシの第１の面と異なる側に位置する第２の面には発光装置が配設されることを特徴とする請求項１乃至３記載の照明装置。
【請求項５】
第１の面に発光ダイオードを実装し前記第１の面と異なる側に位置する第２の面に前記発光ダイオードを点灯させる点灯回路及びこの点灯回路へ電力を供給する電源接続部を実装した回路基板と；
前記回路基板の前記第１の面に実装された発光ダイオードと;
前記回路基板の前記第２の面に実装され、前記発光ダイオードを点灯させる点灯回路と;
前記回路基板の第１の面に、前記発光ダイオードを覆うように形成された透光性樹脂層と;
前記回路基板の第２の面に前記点灯回路を覆うとともに、前記電源接続部に接続される導電体を収容する難燃性樹脂層と;
を具備したことを特徴とする照明装置。
【請求項６】
導電体挿通孔を有するシャーシを更に具備し、このシャーシの第１の面に前記導電体挿通孔をふさぐように発光装置が配設されることを特徴とする請求項５記載の照明装置。
【発明の詳細な説明】
【技術分野】
【０００１】
本発明は、発光ダイオード（以下、ＬＥＤと称す。）を有する照明装置に関する。
【背景技術】
【０００２】
従来から、発光ダイオードとこの発光ダイオードを点灯制御する点灯回路が一体となった照明装置が知られている。このような照明装置のうち、例えば、屋外等での使用が想定される照明装置では、発光ダイオードと、この発光ダイオードを点灯制御する点灯回路とを実装した基板を、絶縁性樹脂内に封入した構造とし、防水性を有するようにしたものが知られている（例えば、特許文献１参照）。
【特許文献１】特開２００３−３９３２５号公報
【発明の開示】
【発明が解決しようとする課題】
【０００３】
上記のような照明装置の、基板を封入する絶縁性樹脂としては、発光ダイオードの光を外部に導出するために、光透過性が良好でかつ、経時変化による変色等の少ないシリコーン樹脂等が使用されている。
しかしながら、このようなシリコーン樹脂を使用した防水性を有する照明装置において
は、基板が密封されているため例えば、基板に接続された電線と、基板との間のトラッキ
ングなどによって、基板が発火するおそれがありさらに他の部分に延焼するおそれもあり
うる。
そこで本発明は防水性を保ちつつ安全性にもすぐれた照明装置を提供することを目的とする。
【課題を解決するための手段】
【０００４】
上記の問題を解決するために請求項１の発明は、第１の面に発光ダイオードを実装し前記第１の面と異なる側に位置する第２の面に前記発光ダイオードを点灯させる点灯回路及びこの点灯回路へ電力を供給する電源接続部を実装した回路基板と、この回路基板の第１の面に前記発光ダイオードを覆うように形成された透光性樹脂層と、前記回路基板の第２の面に前記点灯回路を覆うとともに、前記電源接続部に接続される導電体を収容する絶縁性樹脂層とを備えた発光装置と；前記電源接続部に接続される導電体と；前記導電体に接続される第１接続部と、この第１接続部に電力を供給する電源と接続される第２接続部と、これら接続部を離間して配置し、かつ難燃性樹脂で形成された筐体とを備えた電源中継装置と;を具備したことを特徴とする。
【０００５】
透光性樹脂層及び絶縁性樹脂層は、例えばシリコーン樹脂などで形成することが望ましい。導電体は特に限定されず、導電性の高い金属で形成されたピン状のものや、一般的な導線など種々の物が適用可能である。透光性樹脂層は絶縁性であることが望ましい。
電源接続部への導電体の接続方法は特に限定されず、例えば半田付けや、電源接続部に伝導体を挿入かつ保持可能なコネクタを形成し、このコネクタに挿入するなど種々の方法が適用可能である。導電体と、第１接続部との接続方法も特に限定されず例えば、上述した方法を適用することができる。
電源中継装置の第２接続部と接続される電源は交流電源や直流電源などが使用可能である。
【０００６】
交流電源を使用する際には、例えば電源中継装置又は回路基板に交流電流を直流電流に変換する整流装置を設けることができる。
電源と電源中継装置の第２接続部との接続方法も特に限定はされず、例えば導線を半田付けするなどして電気的に接続可能ならば種々の方法が適用できる。
なお、第１、第２端子部は種々の形状とすることができる。例えば各端子に電線の芯線であるリード部を挿入可能なリード挿入用の穴を作成し、その穴に金属板を装着する。その穴にリード部を挿入することで電気的に接続するようにできる。この場合には、挿入したリード部が「抜けてしまわないような構造」とすることが望ましい。
「抜けてしまわないような構造」とは、例えばリード挿入用の穴に装着される金属板の先端を鋭角に屈曲させて、この屈曲した先端で抜けを防止できるいわゆるＳＬ端子を用いるなどである。
【０００７】
また、金属板と各電線のリード部とを圧着する、また金属板と各電線のリード部とを半田付けするなどの方法も適用可能である。
電源中継装置の第１接続部と伝導体の間又は電源接続部と伝導体の間、もしくは伝導体そのものにヒューズを設けるようにしてもよく、この場合には種々の原因（例えば、電源の故障）で過電流が流れたときにヒューズによって電流が遮断され、点灯回路を保護することができる。
筐体を形成する難燃性樹脂は特に限定されず、例えば、難燃性ＰＢＴ（ポリブチレンテレフタレート:Polybutylene terephthalate）や、オレフィン系樹脂、ポリカーボネート樹脂、ポリアミド樹脂など種々のものが適用可能である。
【０００８】
請求項２の発明は請求項１記載の照明装置において、前記電源中継装置が、他の回路基板にも電力を供給するための第３接続部をさらに備えたことを特徴とする。
「他の回路基板にも電力を供給する」とは例えば、第３接続部に導線の一端側を接続し、多端側にはこの照明装置とは異なる他の照明装置を接続して、他の照明装置に設けられた回路基板に電力を供給するなどである。
第３接続部も特に限定されることなく第１、第２接続部のように種々の形状にすることができる。
請求項３の発明は請求項１又は２記載の照明装置において、前記発光装置の絶縁性樹脂層が、難燃性樹脂で形成されていることを特徴とする。
難燃性樹脂層は特に限定されず、例えば、難燃性ＰＢＴ（ポリブチレンテレフタレート:Polybutylene terephthalate）、エポキシ樹脂、ウレタン樹脂、ケイ素樹脂など種々のものが適用可能である。
【０００９】
難燃性樹脂は透光性の物、不透明の物など種々のものが適用可能である。また、難燃性樹脂は、難燃性であるとともに絶縁性であることが望ましい。
請求項４の発明は、請求項１乃至３記載の照明装置において、導電体挿通孔を有し、この導電体挿通孔をふさぐように第１の面に電源中継装置が配設され、前記第１の面と異なる側に位置する第２の面には発光装置が配設されるシャーシをさらに具備したことを特徴とする。
シャーシはステンレス製や金属製、難燃性樹脂製など様々な物が使用可能である。電源中継装置及び発光装置のシャーシへの設置の仕方は例えばネジ止めなどが考えられる。
シャーシの形状は特に限定されず、電源中継装置および発光装置を配設および支持可能ならば種々の形状に形成することができる。
【００１０】
また、導電体挿通孔の形状も特に限定されず例えば、平面略四角形や円筒形など任意の形に形成することができる。
請求項５の発明は、第１の面に発光ダイオードを実装し前記第１の面と異なる側に位置する第２の面に前記発光ダイオードを点灯させる点灯回路及びこの点灯回路へ電力を供給する電源接続部を実装した回路基板と；前記回路基板の前記第１の面に実装された発光ダイオードと;前記回路基板の前記第２の面に実装され、前記発光ダイオードを点灯させる点灯回路と;前記回路基板の第１の面に、前記発光ダイオードを覆うように形成された透光性樹脂層と;前記回路基板の第２の面に前記点灯回路を覆うとともに、前記電源接続部に接続される導電体を収容する難燃性樹脂層と;を具備したことを特徴とする。
【００１１】
難燃性樹脂層は特に限定されず、例えば、難燃性ＰＢＴ（ポリブチレンテレフタレート:Polybutylene terephthalate。）、エポキシ樹脂、ウレタン樹脂、ケイ素樹脂など種々のものが適用可能である。難燃性樹脂は透光性の物、不透明の物など種々のものが適用可能である。また、難燃性を有すると共に絶縁性を有することが望ましい。
請求項６の発明は、請求項５記載の照明装置において導電体挿通孔を有し、この導電体挿通孔をふさぐように第１の面に発光装置が配設されるシャーシをさらに具備したことを特徴とする。シャーシはステンレス製や金属製、難燃性樹脂製など様々な物が使用可能である。電源中継装置及び発光装置のシャーシへの設置の仕方は例えばネジ止めなどが考えられる。シャーシの形状は特に限定されず発光装置を支持可能ならば任意の形に形成することができる。導電体挿通孔の形状も特に限定されず例えば、平面略四角形や円筒形など任意の形に形成することができる。
【発明の効果】
【００１２】
請求項１の発明によれば、難燃性樹脂で形成された筐体を備えた電源中継装置により基板が発火しても他の部分に延焼することを防止できる。
請求項２の発明によれば、第３の接続部によって、照明装置を複数個接続することができる。
請求項３の発明によれば、点灯回路側において発火しても難燃性樹脂層により、火が透明性樹脂層に移らず防水性を確保しつつ安全性も向上できる。また、難燃性樹脂で形成された筐体を備えた電源中継装置により仮に電線が発火しても他の部分に延焼することを防止できる。
請求項４の発明によれば、電源中継装置および発光装置を配設できるシャーシを設けたことで、照明装置を安全に支持することができる。
【００１３】
請求項５の発明によれば、点灯回路側において発火しても難燃性樹脂層により、火が透明性樹脂層に移らず防水性を確保しつつ安全性も向上できる。
請求項６の発明によれば、発光装置を配設できるシャーシを設けたことで、照明装置を安全に支持することができる。
【発明を実施するための最良の形態】
【００１４】
以下、図面を参照しながら、本発明の実施形態について説明する。図１は、本発明の一実施形態にかかる照明装置の分解斜視図である。図２は本発明の一実施形態にかかる電源中継装置の拡大透視図である。図３は本発明の一実施形態にかかる照明装置の断面図である。
図１乃至図３に示すようにこの実施形態の照明装置１は、電源中継装置２と、導電体としての電線５と、発光装置７と、発光装置７と電源中継装置２とを支持するためのシャーシ９と、電源に接続される電線１１および他の照明装置に接続される電線１３とから主に構成されている。
電源中継装置２は難燃性の樹脂によって矩形状に形成された電源中継装置筐体３を有しており、電源中継装置筐体３には第１接続部しての端子部３１と、第２接続部としての端子部３２と、第３接続部としての端子部３３とが形成されている。
【００１５】
各端子部３１、３２、３３は電源中継装置筐体３の所定の表面部から内側に向かって設けられた円筒状の孔部３４と、この孔部３４内に設けられる先端を鋭角に屈曲させた一対の金属板３５とで構成されるいわゆる速結端子（ＳＬ端子）である。
ここで速結端子（ＳＬ端子）について説明する。速結端子とは、電線が挿入される箇所にあらかじめ設けられた孔に、先端を鋭角に屈曲させた金属板を配置し、電線の芯線であるリード部を孔に挿入するだけで、金属板の屈曲した先端で抜けを防止しつつ電気的に接続する端子である。
すなわち、各孔部３４には電線５、１１、１３が挿入される。挿入された各電線は、鋭角に屈曲した金属板３５の先端によって係止され抜けてしまうことがない。また、金属板３５の一端は、電源中継装置筐体３内に設けられたＬ字状に形成された一対の導体３７aと、導体３７aと同形状に形成された一対の導体３７bにそれぞれ電気的に接続されている。
【００１６】
第１接続部としての端子部３１は、電線５の一端が接続される発光装置７と対向する面に設けられている。
端子部３１は、電線５を構成する電線５a、５b、５c、５dそれぞれが電気的に接続されるための端子３１a、３１b、３１c、３１dを有している。
第２接続部としての端子部３２は、電源中継装置筐体３の片側面に設けられている。端子部３２は、一端を電源に接続された電線１１を構成する電線１１a、１１bそれぞれが電気的に接続されるための端子３２a、３２bとを有している。
また、端子部３２が形成された片側面の、電源中継装置筐体３の中心部を挟んだ反対側の片側面には第３接続部としての端子部３３が形成されている。この端子部３３は、他の照明装置に電力を供給（中継）するための電線１３が接続される。よって、端子部３３は電線１３を構成している電線１３a、１３bが接続されるために端子３３a、３３bとを有している。
【００１７】
端子部３１と端子部３２とは、電源中継装置筐体３内で導体３７aによって電気的に接続されている。また、端子部３１と端子部３３とは、電源中継装置２内で導体３７bによって電気的に接続されている。
詳述すると、電源中継装置２内において端子３１aに設けられた金属板３５と端子３２aに設けられた金属板３５、端子３１bに設けられた金属板３５と端子３２bに設けられた金属板３５とがそれぞれ導体３７aに一端を接続されているので、これらの端子は電気的に接続される。
また、電源中継装置筐体３内において端子３１cに設けられた金属板３５と端子３３bに設けられた金属板３５、端子３１ｄに設けられた金属板３５と端子３３aに設けられた金属板３５とがそれぞれ導体３７bに一端を接続されているので、これらの端子は電気的に接続される。
【００１８】
以上のことを踏まえれば、電線１１aは端子３２aを介して端子３１aに電気的に接続されていると言える。また、電線１１bは端子３２bを介して端子３１bに電気的に接続されていると言える。
そして、電線１３aは端子３３aを介して端子３１dに電気的に接続され、電線１３bは端子３３bを介して端子３１cに電気的に接続されていると言える。
電線１１、１３は、芯線であるリード部１５、１７を電気絶縁体（例えば、ポリ塩化ビニル、ポリエチレン、フッ素樹脂など。）１６、１８で被膜された一般的な絶縁電線である。電線１１は一端を電源に接続されている。
電線１１は電線１１aと電線１１bとから構成されている。仮に電線１１が接続されているのが直流電源だった場合、電線１１aにはプラスの電流が流れ、電線１１bにはマイナスの電流が流れる。
【００１９】
もちろん電線１１を流れる電流の極性はこれに限定されず電線１１a、１１bのどちらかにプラスまたはマイナスの電流が流れればよい。また、仮に電線１１が接続されているのが交流電源だった場合は時間変化と共に電線１１a、１１bのどちらかにプラスまたはマイナスいずれかの電流が流れる。
電線１１a、１１bの端子部３２に電気的に接続される端部は電気絶縁体１６の被覆がはがされ、リード部１５がむき出しになっている。このむき出しになったリード部１５と端子部３２が電気的に接続される。
また、電線１３は他の照明装置に電力を供給するための電線であり、電線１３aと電線１３bとから構成されている。電線１３a、１３bに流れる電流は電線１１（電線１１a、１１b）に流れる電流に対応しており、仮に電線１１に直流電源が流されたれた場合は、電線１３a、１３bいずれかに電線１１と同様のプラス又はマイナスの電流が流れる。
【００２０】
また、仮に電線１１に交流電流が流された場合には、時間の変化によって電線１３a、１３bのどちらかにプラスまたはマイナスいずれかの電流が流れる。
電線１３a、１３bは電線１１a、１１bと同様、端子部３３に電気的に接続される端部は電気絶縁体１８被覆がはがされ、リード部１７がむき出しになっている。このむき出しになったリード部１７と端子部３３とが電気的に接続される。
端子部３１に接続される導体としての電線５は、電源の電力を発光装置７に設けられた回路基板７１へ供給するための電線５a、５bと、回路基板７１へ供給された電力を他の照明装置に供給（中継）するための電線５c、５dの計４本で構成されている。
電線５は、芯線であるリード部５１を電気絶縁体５２で被膜された一般的な絶縁電線であり、両端側は所定の長さ分電気絶縁体５２が剥ぎ取られリード部５１がむき出しになっている。
【００２１】
電線５a、５b、５c、５dの一端は電源中継装置筐体３に設けられた端子３１a、３１b、３１c、３１dにそれぞれ電気的に接続される。そしてこれら電線５a、５b、５c、５dの他端は発光装置７内に収容されている回路基板７１の第２の面７１bに設けられた、電源接続部としての電線接続孔７１１a、７１１b、７１１c、７１１dにそれぞれむき出しのリード部５１が挿入され、半田付けされる。
電線５a、５bは一端を端子３１a、３１bにそれぞれ接続されることで、端子３２a、３２bを介して電線１１と接続されることになる。また、他端を電線接続孔７１１a、７１１bと接続されることで電源から供給された電力を回路基板７１へ供給するための電力供給部として機能する。
【００２２】
電線５c、５dは、端子３１c、３１dおよびと接続されることで端子３３a、３３bを介して電線１３と接続されることになる。また、他端を電線接続孔７１１c、７１１dと接続されることでこの照明装置１を複数つなげて用いる際に他の照明装置に電力を供給（中継）するための電力中継部として機能する。
発光装置７は、矩形板状の回路基板７１と、上部に開口を有し下部は閉口している箱状の筐体７３と、この筐体７３の開口を覆う大きさに形成された蓋体７５とを備えている。発光装置７はさらに、回路基板７１によって仕切られた下部の空間に設けられる透明性樹脂層７７と、上部の空間に設けられる難燃性樹脂層７９とを備えている。
回路基板７１は筐体７３内を上部と下部の空間に仕切るように筐体７３へ収容される。回路基板７１の第１の面７１aには、複数のＬＥＤ７２が実装されている。
【００２３】
また、回路基板７１の第２の面７１bには、複数の電子部品からなる点灯回路７４が実装されている。これらの点灯回路７４は、ＬＥＤ７２を点灯制御するためのものである。
回路基板７１の第２の面７１bの中央部近傍には電源接続部としての電線接続孔７１１a、７１１b、７１１c、７１１dとで構成され電線接続孔７１１が設けられている。この電線接続孔７１１には電線５が挿入され半田付けによって電気的に接続される。
すなわち、回路基板７１の第２の面７１bの電線接続孔７１１は点灯回路７４へ電源を供給する電源接続部として機能する。この電線接続孔７１１と各点灯回路７４とは図示は省略したが例えばプリント配線によってそれぞれ電気的に接続されている。
筐体７３の、回路基板７１の第１の面７１aと対向する対向面は、第１の面７１aに実装されたＬＥＤ７２の光の導出部として機能するため透明に形成されている。
【００２４】
筐体７３はこの光の導出部としての対向面が透明に形成されていればその他の場所は透明でなくともかまわない。
筐体７３の光の導出部と、回路基板７１の第１の面７１aに実装されたＬＥＤ７２を覆うように、透光性の高い絶縁性樹脂が隙間無く充填されて形成された透明性樹脂層７７が設けられている。
筐体７３の開口部には、アルミもしくはステンレス製の蓋体７５がネジ７５１によって筐体７３とネジ止めされ固定されている。すなわち、筐体７３の開口縁部四隅には、ネジ７５１によって蓋体７５とネジ止めされるためのネジ孔７５２が設けられている。
筐体７３開口部に固定された蓋体７５と回路基板７１の間には、回路基板７１の第２の面７１bに実装された点灯回路７４を覆うように、難燃性樹脂が隙間無く充填されて形成された難燃性樹脂層７９が設けられている。
【００２５】
したがって回路基板７１の第２の面７１bに接続された電線５の一端側は難燃性樹脂層７９によって実質的に固定されることになる。
筐体７３内は回路基板７１を挟んで透明性樹脂層７７と難燃性樹脂層７９との二つの樹脂層が形成されていることになる。なお、難燃性樹脂層７９は、難燃性を有すると共に絶縁性も有することが望ましい。
筐体７３内に透明性樹脂層７７と難燃性樹脂層７９を形成することで、筐体７３内に湿気が浸入することを防止し、防水性（防湿性）を得ることができるとともに、難燃性樹脂層７９によって火が透明性樹脂層７７に移らず防水性を確保しつつ安全性も向上できる。これら二つの層のうち、透明性樹脂層７７は、透光性を有する樹脂、例えばシリコーン樹脂などから構成することができる。
【００２６】
難燃性樹脂層７９は、透明性は特に限定されず半透明や不透明な樹脂で構成することができ、例えばポリアミド樹脂、エポキシ樹脂など種々のものが適用可能である。
蓋体７５と筐体７３とは、それぞれの四隅に設けられたネジ孔７５２にネジ７５１を蓋体７５の表面から挿入することで固定される。すなわち蓋体７５の四隅には、筐体７３に設けられたネジ孔７５２と同じ位置に、蓋体７５の表面から裏面へ貫通するネジ孔７５３が設けられている。
なお蓋体７５に設けられるネジ孔７５３の表面側縁部は、蓋体７５と筐体７３とをネジ止めした際にネジ頭が蓋体７５のネジ孔７５３表面側縁部からとび出さないようネジのネジ頭より若干大きな径で形成されている。
蓋体７５の中央部には、回路基板７１の第２の面７１bに接続される４本の電線５a、５b、５c、５dが挿入される４つの挿入孔７５７a、７５７b、７５７c、７５７dが蓋体７５の表面から裏面へ貫通するように設けられている。
【００２７】
これら４つの挿入孔のうち７５７aと７５７bは電源からの電力を回路基板７１へ供給するための電線５a、５b、が挿入され、７５７c、７５７dは回路基板７１へ供給された電源を他の照明装置に供給（中継）するための電線５c、５dが挿入される。
蓋体７５の長手方向に沿う中央部の、挿入孔７５７a、７５７bと、この挿入孔７５７a、７５７bに近い側のネジ孔７５３との中間部には蓋体７５とシャーシ９とを固定するための固定孔７５４aが設けられている。
また、蓋体の長手方向に沿う中央部の、挿入孔７５７c、７５７dとこの挿入孔７５７c、７５７dに近い側のネジ孔との中間部にも蓋体７５とシャーシ９とを固定するための固定孔７５４bが設けられている。蓋体７５とシャーシ９との固定はネジ９１によるネジ止めによって行われる。
【００２８】
シャーシ９はステンレスなどで形成されており、矩形板状をなしている。シャーシ９の長手方向に沿う両側端部には上方に向かって一体的に突設された壁部９２が形成されている。シャーシ９中央部には略四角状の導電体挿通孔９３がシャーシ９の第１の面９aからシャーシ９の第２の面９bを貫通するように設けられている。導電体挿通孔９３には、蓋体７５に設けられた４つの挿入孔７５７a、７５７b、７５７c、７５７dに挿入された４本の電線５a、５b、５c、５dが挿入される。
すなわち、この導電体挿通孔９３が設けられる位置は、挿入孔７５７a、７５７b、７５７c、７５７dが設けられる位置と同程度の位置であることが望ましい。
また、シャーシ９の長手方向に沿う中央部の、シャーシ９と発光装置７との中心点を合わせたときに発光装置７の蓋体７５に設けられた固定孔７５４a、７５４bと一致する位置には発光装置固定孔９５a、９５bが設けられている。
【００２９】
シャーシ９の第１の面９aからネジ９１が挿入され、シャーシ９に設けられた発光装置固定孔９５a、９５bと、発光装置の蓋体に設けられた固定孔７５４a、７５４bとがネジ止めされることで、発光装置７はシャーシ９に固定される。
このとき、シャーシ９の第２の面９bとこの第２の面９bと対向する発光装置７の蓋体７５の対向面とは当接された状態で固定されることになるので発光装置７はシャーシ９の導電体挿通孔９３をふさぐように固定されることになる。
蓋体７５の四隅のネジ７５１はネジ頭がネジ孔７５３縁部からとびでないように設けられているので、これらネジ７５１がシャーシ９に発光装置７を設ける際に邪魔になることがない。
【００３０】
また、シャーシ９の第１の面９aには、導電体挿通孔９３をふさぐように電源中継装置２が配置される。特に図示はしないが電源中継装置２を配置する際にはネジによって固定する、また、シャーシ９と溶接するなど種々の方法で配置することができる。
次に、図４を用いて難燃性樹脂層７９、又は電源中継装置２による延焼の防止について説明する。図４は本発明の１つの実施形態にかかる照明装置の使用例である。
一般に発光ダイオードとこの発光ダイオードを点灯制御する点灯回路が一体となった照明装置が出火する原因として、電源の故障やトラッキングなどが上げられる。
まずここでトラッキングについて説明する。トラッキングとは、例えば回路基板７１と電線５とのわずかな隙間や、電源中継装置２と電源中継装置２に接続される各電線とのわずかな隙間に徐々にほこりが溜まり、このほこりが湿気を帯びることによって各電気的な接触部で、火花放電が発生する現象である。
【００３１】
トラッキング現象は電圧が印加されている箇所であれば常に発生する危険性が存在しており、負荷となる機器の使用の有無には関係しない。トラッキング現象が繰り返されることにより、やがては接触部に電気が流れて発熱し、ついには発火して、場合によっては火災になる。
発明に示すようなＬＥＤを具備した照明装置は、シャーシによって支持された複数の照明装置がコネクタによって連続的に接続されて使用されるのが通常である。
すなわち図４に示すように、照明装置１a、照明装置１bとがシャーシ９に支持されかつ、コネクタ２０によってそれぞれ連続的に接続されている。
照明装置１a、１bは上記のようにシャーシ９に支持されて例えば、図示はしない建物の壁などに取り付けられ、照明装置１aの電線１３と照明装置１bの電線１１とがコネクタ２０によって電気的に接続されている。
【００３２】
各照明装置の接続可能な数は特に限定されず任意の照明装置が接続可能である。各照明装置がこのように接続されたときに、例えば、出火の一原因であるトラッキングが起こったとしても難燃性樹脂層７９によって出火を防止することができる。
仮になんらかの原因で照明装置１aの回路基板７１より出火がおこっても照明装置１aに設けられた電源中継装置２によって火がくい止められ、照明装置１bへの延焼を防止することができる。また、難燃性樹脂層７９によって、回路基板７１の第２の面７１bが保護されているので、ＬＥＤ７２や点灯回路７４などの電子部品の延焼を防止することができる。
またさらに、例えば照明装置１aと、照明装置１bとを接続している電線１３より出火した場合でも照明装置１aに設けられた電源中継装置２と、照明装置１bに設けられた電源中継装置２によって火がくい止められ、それぞれの照明装置１a、１bの発光装置７までの延焼を防止することができる。
【００３３】
すなわち、照明装置１a、照明装置１bの何れより出火しても出火がおこった発光装置７や、他の照明装置が延焼することがない。
なお、電源に接続された電線１１が電源中継装置２に接続され、次に電源中継装置２から照明装置１aの回路基板７１に接続され、回路基板７１から再度電源中継装置２を介して他の照明装置１bに接続されていた。
すなわち、照明装置１aと、他の照明装置１bとは直列接続されていたがこれに限定されず、各照明装置同士は並列に接続することもできる。この場合には電線１１bと電線１３aとは実質的に一本の電線で構成することができる。
本発明の実施形態は、上記いずれの実施形態に限られず、拡張変更が可能である。拡張、変更した実施形態も本発明の技術的範囲に含まれる。
【００３４】
例えば、回路基板７１の第２の面７１bに難燃性樹脂層７９を設けたがこれに限定されず、筐体内には透明性樹脂層７７のみをもうけるようにしてもよい。この場合、アルミ製の蓋体７５のかわりに難燃性樹脂で形成された蓋体を用いることもできる。
さらに、電線５と電線１１、電線１３とを一つの電源中継装置２内で電気的に接続したがこれに限定されることなく、電源中継装置２は複数設けることもできる。すなわち、電線５の一方と電線１１とを接続するための電源中継装置２と、電線５の他方と電線１３とを接続するための電源中継装置２である。
なお、延焼を防止するには、発光装置７を難燃性樹脂層７９と透明性樹脂層７７の２層で構成し、かつ電源中継装置２を設けることが望ましいが、発光装置７が２層構造であれば、電源中継装置２を設けずとも少なくとも回路基板７１の点灯回路７４やＬＥＤ７２、透明性樹脂層７７などが延焼してしまうことはない。
【００３５】
また、発光装置７の筐体７３および回路基板７１の形状、大きさは特に限定されず丸形や、正方形など任意の形状にしてもよい。
各端子に接続される電線は特に限定されず、導体が絶縁体と保護被覆とで覆われた各種ケーブル類や、ゴム絶縁袋打コードなどのコード類、導電性の金属ピンなど種々の物が適用可能である。
【図面の簡単な説明】
【００３６】
【図１】本発明の一実施の形態にかかる照明装置の斜視図。
【図２】本発明の一実施形態にかかる電源中継装置の拡大透視図。
【図３】図１の照明装置の断面図。
【図４】本発明の一実施形態にかかる照明装置の使用例を示す平面図。
【符号の説明】
【００３７】
１…照明装置、２…電源中継装置、３…電源中継装置筐体、５，１１，１３…電線、７…発光装置、９…シャーシ、９a…シャーシ９の第１の面、９b…シャーシ９の第２の面、１５，１７…リード部、１６，１８，５２…電気絶縁体、２０…コネクタ、３１，３２，３３…端子部、３４…孔部、３５…金属板、３７…導体、５１…リード部、７１…回路基板、７１a…回路基板７１の第１の面、７１b…回路基板７１の第２の面、７２…ＬＥＤ、
７３…筐体、７４…点灯回路、７５…蓋体、７５７a，７５７b，７５７c，７５７d…挿入孔、７７…透明性樹脂層、７９…難燃性樹脂層、９１，７５１…ネジ、９２…壁部、９３…導電体挿通孔、９５a，９５b…発光装置固定孔、７１１…電線接続孔、７５２，７５３…ネジ孔、７５４a，７５４b…固定孔。
【図１】
2008077902.tif 000003
【図２】
2008077902.tif 000004
【図３】
2008077902.tif 000005
【図４】
2008077902.tif 000006